(57)【要約】【課題】制御対象を選択し選択した対象を良好な画像にすることができる撮像装置およびその画像処理方法を提供。【解決手段】ディジタルカメラ10は、画像処理部22の検出機能で画像データ50から人物または顔を検出対象として検出し、検出対象に対して人物選択部52が有する４つの人物の選択機能、すなわち画面内の所定位置と各人物の最短距離に位置する人物の選択機能、ディジタルカメラ10と最短距離に位置する人物の選択機能、画像データに含まれる人物の中で明度の最も高い人物の選択機能および画像データに含まれる人物の中で評価値が尤もらしい人物の選択機能の少なくとも一つを選択し複数の人物から一人を選択し調整パラメータを生成する。【選択図】図１
2006324727.tif 000002
【特許請求の範囲】
【請求項１】
被写界からの入射光を基に画像データを生成する撮像装置において、該装置は、
前記画像データに対し画像処理を施す画像処理手段を含み、
該画像処理手段は、前記画像データから人物または顔を検出対象として検出する検出手段と、
前記検出対象と該画像データを表示する画面の所定位置との距離を算出する第１の算出手段、該装置と前記検出対象との距離を算出する第２の算出手段、前記検出対象の明るさに関する情報を算出する第３の算出手段、および前記検出対象に対する検出の確からしさを示す評価値を算出する第４の算出手段を備え、第１ないし第４の算出手段の少なくとも一つから算出された結果に基づく前記画像データが得られるように調整する調整手段とを含むことを特徴とする撮像装置。
【請求項２】
請求項１に記載の装置において、前記調整手段は、前記画像データから前記検出対象が複数得られた状況に応じて第１ないし第４の算出手段のうち、少なくとも一つから算出された結果を基に複数の前記検出対象に対する順位付けし、該順位付けした中から所定の順位にある前記検出対象を一つ選択し、該画像データを選択した一つの検出対象の算出結果を反映させて、調整することを特徴とする撮像装置。
【請求項３】
請求項２に記載の装置において、第１の算出手段は、前記検出対象と前記所定位置とに対する算出結果が最短距離を示す前記検出対象を選択することを特徴とする撮像装置。
【請求項４】
請求項２に記載の装置において、第２の算出手段は、該装置と前記検出対象とに対する算出結果が最短距離を示す前記検出対象を選択することを特徴とする撮像装置。
【請求項５】
請求項２に記載の装置において、第３の算出手段は、前記検出対象の明るさが最も高い明度を示す前記検出対象を選択することを特徴とする撮像装置。
【請求項６】
請求項２に記載の装置において、第４の算出手段は、前記検出対象の前記評価値が最も高い検出対象を選択することを特徴とする撮像装置。
【請求項７】
請求項２ないし６のいずれか一項に記載の装置において、該装置は、選択した検出対象を識別表示する表示手段を含むことを特徴とする撮像装置。
【請求項８】
請求項１ないし７のいずれか一項に記載の装置において、該装置は、選択した検出対象の指示を変更させるインタフェース手段を含むことを特徴とする撮像装置。
【請求項９】
被写界からの入射光を基に画像データを生成し該画像データに画像処理する画像処理方法において、該方法は、
前記画像データから人物または顔を検出対象として検出する第１の工程と、
前記検出対象と該画像データを表示する画面の所定位置との距離を算出する第１の算出機能、前記画像データを生成する装置と前記検出対象との距離を算出する第２の算出機能、前記検出対象の明るさに関する情報を算出する第３の算出機能、および前記検出対象に対する検出の確からしさを示す評価値を算出する第４の算出機能を表す項目表示を前記画像データが表示される画面中に表示する第２の工程と、
前記項目表示の少なくとも一つを用いて前記検出対象に対する算出結果を求める第３の工程と、
選択した該検出対象に対して調整する第４の工程とを含むことを特徴とする画像処理方法。
【請求項１０】
請求項９に記載の方法において、第４の工程は、前記画像データから前記検出対象が複数得られた場合、第１ないし第４の算出機能のうち、少なくとも一つから算出された結果を基に複数の前記検出対象に対する順位付けし、該順位付けした中から所定の順位にある前記検出対象を一つ選択し、該画像データを選択した一つの検出対象の算出結果を反映させて、調整することを特徴とする画像処理方法。
【請求項１１】
請求項10に記載の方法において、第１の算出機能は、前記検出対象と前記所定位置とに対する算出結果が最短距離を示す前記検出対象を選択することを特徴とする画像処理方法。
【請求項１２】
請求項10に記載の方法において、第２の算出機能は、前記装置と前記検出対象とに対する算出結果が最短距離を示す前記検出対象を選択することを特徴とする画像処理方法。
【請求項１３】
請求項10に記載の方法において、第３の算出機能は、前記検出対象の明るさが最も高い明度を示す前記検出対象を選択することを特徴とする画像処理方法。
【請求項１４】
請求項10に記載の方法において、第４の算出機能は、前記検出対象の前記評価値が最も高い検出対象を選択することを特徴とする画像処理方法。
【請求項１５】
請求項９ないし14のいずれか一項に記載の方法において、該方法は、第４の工程以降において選択した人物に対して指示を変更することを特徴とする画像処理方法。
【発明の詳細な説明】
【技術分野】
【０００１】
本発明は、撮像装置およびその画像処理方法に関するものである。本発明の撮像装置は、画像入力装置およびディジタルカメラ等に関するものである。また、本発明の画像処理方法は、画像中における複数の人物の中から条件に応じて一人を選択する方法に関するものである。
【背景技術】
【０００２】
撮像装置には、スナップショットにおいて人物を的確に捉え、表示させるように特許文献１〜５が提案されてきた。特許文献１のディジタルカメラは、画像中の人数データを算出し、画像データに付属情報として添付する。これにより、人数による画像の検索が可能になり目的の画像を迅速に表示させることを提案する。
【０００３】
特許文献２の複数の顔画像が存在する場合における人間の顔のロバスト追跡方法は、複数の顔が存在する画像における顔追跡を効果的な演算によりリアルタイムに実行する。この人間の顔のロバスト追跡方法は、カラービデオシーケンスから１枚のフレームを現入力画像として取得し、現入力画像をフィルタで処理してフィルタ処理画像を形成し、フィルタ処理画像の射影ヒストグラムに基づきフィルタ処理画像中の顔の位置と寸法を推定し、フィルタ処理画像内の追跡顔の位置と寸法を出力することを提案する。
【０００４】
また、特許文献３のロボット装置および顔識別方法は、自律的に行動するロボット装置であって、撮像手段と、撮像手段により撮像された画像内で変化する顔を追跡する顔追跡手段と、顔追跡手段による顔の追跡情報に基づいて、撮像手段により撮像された画像内の顔の顔データを検出する顔データ検出手段と、顔データ検出手段が検出した顔データに基づいて、特定顔を識別する顔識別手段とを備え、複数の顔データについて得た複数の比較結果の統計により、ロボット装置自体の自律性を損なうことなく、顔識別をすることを提案する。
【０００５】
さらに、特許文献４の人物検出方法および装置は、隠蔽の発生しにくく形状変化の少ない人物の頭部および上半身の輪郭を元に設定したモデル形状に、間隙を拡張したエッジ検出オペレータによる画像微分出力を対応させ、各点における積の極大点を人物領域として検出する。この方法は、このようにして輪郭形状の微少な差異の影響を小さくし、また、隣接した対象を分離して検出し、さらに、このような処理を、空間を上方から撮影した画像に対し行ない、得られた視界内の複数人物を計数し集計することを提案する。この方法により、具体的に店舗顧客分布の解析など多種の情報サービスを実現する。
【０００６】
最後に、特許文献５の画像記録装置は、カメラによって画像記録媒体に記録された画像を記録材料に記録するもので、画像中に存在する人物の人数を自動的に検知する検知手段と、検知手段によって検知された人数を表す情報に応じて記録枚数を自動的に設定する設定手段と、設定手段によって設定された焼付枚数分前記画像の記録を行なう記録手段とを備え、ディジタル画像中の人数を計測し写真の焼き増し数量を自動的に決定することを提案する。これにより、オペレータの負担を軽減することができる。上述した特許文献１〜５には、このようにディジタル画像中から顔や人物を肌色抽出やパターンマッチング技術が開示され、抽出した人数を把握する方法が開示される。
【特許文献１】特開2000−295574号公報
【特許文献２】特開2000−36052号公報
【特許文献３】特開2002−1575964号公報
【特許文献４】特開2001−175868号公報
【特許文献５】特開平9−281605号公報
【発明の開示】
【発明が解決しようとする課題】
【０００７】
ところで、抽出やマッチング等で得られ検出された人物や顔が主要被写体として扱われる。主要被写体に対して優先的に、重点的にAWB（Automatic White Balance）/AF（Automatic Focus）/階調補正/閃光調光を制御すると、被写体中に複数の人を検出することが多い。
【０００８】
また、検出した複数人の顔における明るさや色相が異なる場合にも制御する対象をどのように設定するか明確でない。
【０００９】
本発明はこのような従来技術の欠点を解消し、制御対象を選択し選択した対象を良好な画像にすることができる撮像装置およびその画像処理方法を提供することを目的とする。
【課題を解決するための手段】
【００１０】
本発明は上述の課題を解決するために、被写界からの入射光を基に画像データを生成する撮像装置において、この装置は、画像データに対し画像処理を施す画像処理手段を含み、この画像処理手段は、画像データから人物または顔を検出対象として検出する検出手段と、検出対象とこの画像データを表示する画面の所定位置との距離を算出する第１の算出手段、この装置と検出対象との距離を算出する第２の算出手段、検出対象の明るさに関する情報を算出する第３の算出手段、および検出対象に対する検出の確からしさを示す評価値を算出する第４の算出手段を備え、第１ないし第４の算出手段の少なくとも一つから算出された結果に基づく画像データが得られるように調整する調整手段とを含むことを特徴とする。
【００１１】
本発明の撮像装置は、画像処理手段の検出手段で画像データから人物または顔を検出対象として検出し、検出した検出対象に対して第１ないし第４の算出手段のうち、少なくとも一つで算出された結果を用い、調整手段にて所望の画像データが得られるように調整することによりユーザにとって所望する検出対象の良好な画像を得ることが可能になる。
【００１２】
また、本発明は上述の課題を解決するために、被写界からの入射光を基に画像データを生成し該画像データに画像処理する画像処理方法において、この方法は、画像データから人物または顔を検出対象として検出する第１の工程と、検出対象とこの画像データを表示する画面の所定位置との距離を算出する第１の算出機能、画像データを生成する装置と検出対象との距離を算出する第２の算出機能、検出対象の明るさに関する情報を算出する第３の算出機能、および検出対象に対する検出の確からしさを示す評価値を算出する第４の算出機能を表す項目表示を画像データが表示される画面中に表示する第２の工程と、項目表示の少なくとも一つを用いて検出対象に対する算出結果を求める第３の工程と、選択したこの検出対象に対して調整する第４の工程とを含むことを特徴とする。
【００１３】
本発明の画像処理方法は、画像データから人物または顔を検出対象として検出し、第１ないし第４の機能を表す項目表示を画面内に表示させ、表示した前記項目表示から少なくとも一つの項目に対応する機能により検出対象に対して算出し、検出対象に対して得られた算出結果を用いて画像データを調整することにより検出対象に対する良好な画像を生成する。
【発明を実施するための最良の形態】
【００１４】
次に添付図面を参照して本発明による撮像装置の一実施例を詳細に説明する。
【００１５】
本実施例は、本発明の撮像装置をディジタルカメラ10に適用した場合である。本発明と直接関係のない部分について図示および説明を省略する。以下の説明で、信号はその現れる接続線の参照番号で指示する。
【００１６】
ディジタルカメラ10は、図１に示すように、画像入力部12、メモリ制御部14、バス16、メモリ18、信号処理部20、画像処理部22、中央演算ユニット（CPU: Central Process Unit）24、ドライバ26、タイミング信号発生器28、メモリカードインタフェース（IF： InterFace）部30、ストレージ32、表示制御部34、D/A変換器36、モニタ38および操作部40を含む。
【００１７】
画像入力部12は、光学系42、撮像素子44および前処理部46を含む。光学系42は、図示しないがレンズおよびレンズ絞りにより被写界からの入射光を所定の光量に設定する。撮像部44には、絞り30により絞られた入射光が図示しない、たとえば単板のカラーフィルタを透過し送られる。このカラーフィルタは、たとえば色RGBのフィルタセグメントが所定のパターンに配列するように形成されている。フィルタセグメントはそれぞれ受光素子と一対一に対応し配置されている。画像入力部12は、光学像が撮像部44で結像するように焦点位置を調整する。撮像部44は、光電変換する受光素子を２次元配列し、設定された露光時間にわたって受光素子に蓄積された信号電荷を色の属性を有する画素として読み出す。撮像部44はこの読出しにより２次元のアナログ画像信号48を生成する。撮像部44は、生成した２次元のアナログ画像信号48を前処理部46に送る。前処理部46は、図示しないが信号ノイズを除去しディジタル化し画像データ50を生成する。画像入力部12はこのように入射光から画像データ50を生成し生成した画像データ50をメモリ制御部14に出力する。
【００１８】
メモリ制御部14は、メモリ18に対する画像データ50の入出力を制御する。入出力制御は、バス16を介して行われる。本実施例のバス16はデータおよび制御信号を通すように形成される。バス16には、メモリ制御部14だけでなく、図１に示すようにメモリ18、信号処理部20、画像処理部22、CPU 24、I/F 30、表示制御部34および操作部40がそれぞれ接続される。
【００１９】
メモリ18は、画像データを保持する不揮発性メモリ、表示データを保持する表示メモリおよび画像処理にて使用する画像メモリ等を有する。信号処理部20は、本実施例において供給される画像データにおける画素の各色に対する同時化処理、YC処理および圧縮/伸張処理等の機能を有する。
【００２０】
画像処理部22は、人物選択部52を含む。画像処理部22は、画像データから人物または顔を検出対象として検出する機能を有する。人物選択部52は、検出対象とこの画像データを表示する画面の所定位置との距離を算出する画面距離算出機能、この装置と検出対象との距離を算出する対象距離算出機能、検出対象の明るさに関する情報を算出する明度算出機能および検出対象に対する検出の確からしさを示す評価値を算出する評価値算出機能を備え、これら４つの算出機能の少なくとも一つから算出された結果に基づく画像データが得られるように調整する調整機能を含む。
【００２１】
人物選択部52は、画像データから検出対象が複数得られた状況に応じて上述した４つの選択機能のうち、少なくとも一つから算出された結果を基に複数の検出対象に対する順位付けし、この順位付けした中から所定の順位にある検出対象を一つ選択し、選択した一つの検出対象の算出結果を反映させるようにこの画像データの撮影に関する調整パラメータを生成することが望ましい。
【００２２】
さらに、複数の検出対象が検出されると、この検出に対応して人物選択部52は、複数の人を検出した後に画像データを表示する画面内の所定位置と各人物の最短距離に位置する人物の選択機能、ディジタルカメラ10と最短距離に位置する人物の選択機能、画像データに含まれる人物の中で明度の最も高い人物の選択機能および画像データに含まれる人物の中で評価値が尤もらしい人物の選択機能を有し、これらの機能の少なくとも一つにより人物を選択し、選択した一つの検出対象の算出結果を反映させるようにこの画像データの撮影に関する調整パラメータを生成する。
【００２３】
人物選択部52は、上述した検出対象の数に応じた動作を行なわせる場合、たとえば操作部40での設定において検出対象が一人でも、上述した４つの機能のうち、画面内距離、被写体との距離、被写体の明るさおよび被写体に対する評価値の少なくとも一つを選んで撮像に関するパラメータとして算出し、算出したデータを基に調整パラメータを生成することが好ましい。
【００２４】
画像処理部22は、この選択結果をデータ52aとしてバス16に出力しバス16を経てCPU 24に送る。CPU 24は、後述するように選択結果に応じた制御信号を生成する。
【００２５】
CPU 24は、図示しないが演算機能部、ROM（Read Only Memory）およびRAM（Random Access Memory）を含む。ROMには撮像装置10を動作させる手順、すなわちプログラムが書かれ、RAMにはたとえば各種の情報を格納させてもよい。CPU 24には、バス16を介してデータや操作の指示データ等が入力される。また、CPU 24CPU 24は、上述した入力とプログラムに基づき制御信号54を出力する。また、CPU 24は、画像データ50だけでなく、人物選択部52での選択結果のデータ、すなわち調整パラメータを基にしてレンズ絞りおよびシャッタ速度をどのくらいの値にするか演算し演算した結果にて動作させる制御信号56および58を生成する。CPU 24は制御信号56をドライバ20に制御信号58をタイミング信号発生器58に出力する。
【００２６】
ドライバ26は、画像入力部12におけるレンズ絞りやフォーカスをそれぞれ調整する駆動信号60および62、撮像部44に対する駆動信号64を生成する。タイミング信号発生器28は、制御信号58を受けて、垂直・水平・リセットのタイミング信号66および68を生成し各タイミング信号66および68をドライバ26および撮像部44に供給する。
【００２７】
メモリIF部30は、メモリ18の画像データとストレージ32の画像データを入出力するインタフェースである。ストレージ32は、着脱自在な半導体メモリやハードディスクである。表示制御部34は、動画や静止画の画像データをモニタ28に対する表示データに変換制御する。さらに表示データは、D/A変換器36でアナログ信号に変換され、モニタに出力される。モニタ28は、D/A変換器36からのアナログ信号に応じて画像を表示する機能を有する。また、モニタ28には、ユーザインタフェース機能を設けてもよい。ユーザインタフェース機能を設けた場合、モニタ28には、人物選択の項目も表示される。
【００２８】
操作部40は、電源投入スイッチ、モード設定、モニタ表示スイッチおよびレリーズシャッタボタン等を含む。操作部40は、レリーズシャッタボタンに対する押圧状態に応じた指示データ70をCPU 24に出力する。指示データ70は、押圧していない状態をS0、半押し状態をS1および全押し状態をS2とする。モニタ28には、たとえば電源投入後からスルー画が表示される。状態S1は予備撮像状態である。状態S2は、静止画モードで本撮像タイミングであり、動画モードでは撮影開始と終了のタイミングである。操作部40は、CPU 24にこれらのモードにおけるタイミングを指示データ70として出力する。
【００２９】
次に本発明を適用したディジタルカメラ10の動作について簡単に説明する。ディジタルカメラ10に電源を投入する。これにより、ディジタルカメラ10には初期設定が施される。この後、ユーザのボタン操作があったか否かを判断する（ステップS10）。何か操作されたと判断した場合（YES）、動作準備に進む（ステップS12へ）。また、何も操作されなかったと判断した場合（NO）、接続子Aを介して図３の終了判断処理に進む（ステップS14へ）。
【００３０】
動作準備とは、ユーザによる操作部40のレリーズシャッタボタンが状態S1に押圧操作されたり、焦点調節ボタンが押されたりすること等に応じて行なわれる動作を意味する（ステップS12）。この準備の後、ディジタルカメラ10は、たとえば被写界からの入射光を画像入力部12に取り込んで撮像しこの撮像にともなって得られる画像データ50から動作における適正評価データを取得する（ステップS16）。適正評価データとは、取得した画像データ50を基に現在の被写界に対する適正な露光を行なうための絞り値およびシャッタ速度や対象に対する適正な焦点位置までの距離を調整する。
【００３１】
次にディジタルカメラ10は、取得した画像データから人物を検出する（サブルーチンSUB1）。ここでの人物検出は、たとえば特許文献４に記載されている手法を用いるとよい。
【００３２】
この人物検出により得られた人数が複数か否か判断する（ステップS18）。人数が複数の場合（YES）、たとえば図４に示す人物選択表示72をモニタ画面74内に表示する。表示された際にユーザは、図示しないタッチペンを用いて人物選択表示72の項目１〜４のいずれかを選択する。また、本実施例は画面中における人物の選択を指示させるようにも構成されている。タッチペンを用いると、選択する人物を変更することもできる。このように別な人物を選択する手段を設けることにより誤検出を回避でき、選択の自由度も高めることができる。画面74内の破線枠76は、選択した人物のエリア範囲を示す。
【００３３】
なお、図示しないが、たとえば設定により複数の選択判断を無視し、一人の場合でもモニタ画面74内に表示される人物選択表示72を選択するようにしてもよい。このように動作させると、人数に依存しない画像の取得選択が可能になる。これにより、ユーザが所望する画像が簡単に得られる。
【００３４】
人数が複数の場合（YES）、この選択が項目“１”の選択か否かの判断処理に進む（ステップS20へ）。また、人物検出の人数が単数または未検出の場合（NO）、接続子Bを介して図３の通常の調整に進む（ステップS22へ）。
【００３５】
この選択が項目“１”の選択か否かを判断する（ステップS20）。項目“１”を選択すると（YES）、画面内の距離算出に進む（サブルーチンSUB2へ）。また、項目“１”でない場合（NO）、項目“２”の選択に進む（ステップS24へ）。
【００３６】
画面内の距離算出は、画面内の所定位置からか各人物までの距離を算出する（サブルーチンSUB2）。所定位置は、たとえば画面の中心に設定するとよい。
【００３７】
次に算出した各人物までの距離を基に人物を選択する（ステップS26）。ここでの選択は算出した距離の内、最短距離の人物にする。この結果、画像中心に近い人物が優先的に選択されることになる。この後、接続子Cを介して図３の調整に進む（ステップS28へ）。
【００３８】
次に選択が項目“２”の選択か否かを判断する（ステップS24）。項目“２”を選択すると（YES）、ディジタルカメラ10と各人物との距離算出に進む（サブルーチンSUB4へ）。また、項目“２”でない場合（NO）、項目“３”の選択に進む（ステップS30へ）。
【００３９】
ここでの距離算出は、ディジタルカメラ10と各人物との距離であり、奥行き的な距離である（サブルーチンSUB4）。この距離は測距センサを用いるとよい。人物選択は、算出した距離の内、最短距離に対応する人物とする（ステップS32）。この後、接続子Cを介して図３の調整に進む（ステップS28へ）。
【００４０】
次に選択が項目“３”の選択か否かを判断する（ステップS30）。項目“３”を選択すると（YES）、各人物の顔における明度算出に進む（サブルーチンSUB5へ）。また、項目“３”でない場合（NO）、項目“４”の選択に進む（ステップS34へ）。
【００４１】
各人物の顔における明度は、取得した画像データを基に算出する。人物選択は、算出により得られた明度の最も高い値を示す人物にする（ステップS36）。この後、接続子Cを介して図３の調整に進む（ステップS28へ）。
【００４２】
次に選択が項目“４”の選択か否かを判断する（ステップS34）。項目“４”を選択すると（YES）、各人物の顔における評価値算出に進む（サブルーチンSUB6へ）。また、項目“４”でない場合（NO）、接続子Bを介して図３の通常の調整に進む（ステップS22へ）。
【００４３】
各人物の顔における評価値は、従前の方法で算出するとよい（サブルーチンSUB6）。人物選択は、算出により得られた評価値の最も高い値、すなわち尤もらしいことを示す人物にする（ステップS38）。この後、接続子Cを介して図３の調整に進む（ステップS28へ）。
【００４４】
前述した通常の調整（ステップS22）は、画像全体を最適に調整し本撮像に備える処理である。これに対して、調整（ステップS28）は、選択した人物の顔を含む任意の領域を優先的な調整対象領域に設定しディジタルカメラ10を制御することである。調整対象領域に対する制御は、露光、焦点位置、ホワイトバランス、階調および閃光調光等の調整である。
【００４５】
このように通常の調整（ステップS22）や調整（ステップS28）の処理後、本撮像に進む（ステップS40へ）。本撮像は、ユーザが所望のタイミングでレリーズシャッタボタンを状態S2まで押し込む（ステップS40）。このタイミングで得られた画像データ50を信号処理部20に送る（ステップS42へ）。
【００４６】
信号処理部20では、画像データ50に対して前述した内容を順次処理し、記録処理に進む（ステップS44へ）。信号処理された画像データは、メモリカードI/F部30を経てストレージ32に記録する（ステップS44）。この後、終了するか否か判断する（ステップS14）。継続する場合（NO）、接続子Dを介して図２のデータ取得に進み、撮影処理を継続する。また、電源スイッチがオフにされると、ディジタルカメラ10は終了と判断し終了する。
【００４７】
選択した特定のエリアに位置する人物を優先的に選択し調整することにより選択した人物に対する良好な画像を取得することができる。また、背景に人込みのように複数の人を検出しても至近の特定人物を優先的に選択すると、選択した人に対する良好な画像を得ることができる。優先的に選択した人物の関して白とびによる画像劣化を回避することができる。
【００４８】
また、この処理により、画像の誤検出を低減することができる。さらに、タッチペンのようなユーザインタフェースにより顔画像の選択を指示できると、誤検出があっても、確実に顔画像を選択することができる。
【図面の簡単な説明】
【００４９】
【図１】本発明の画像処理装置を適用した実施例におけるディジタルカメラの概略的な構成を示すブロック図である。
【図２】図１のディジタルカメラの動作を示すフローチャートである。
【図３】図２に続く動作を示すフローチャートである。
【図４】図１のディジタルカメラにおけるモニタ表示の一例を示す図である。
【符号の説明】
【００５０】
10  ディジタルカメラ
12  画像入力部
14  メモリ制御部
16  バス
18  メモリ
20  信号処理部
22  画像処理部
24  CPU
26  ドライバ
28  タイミング信号発生器
30  メモリインタフェース部
32  ストレージ
34  表示制御部
36  D/A変換器
38  モニタ
52  人物選択部
【図１】
2006324727.tif 000003
【図２】
2006324727.tif 000004
【図３】
2006324727.tif 000005
【図４】
2006324727.tif 000006